【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
外国為替取引についての取引所が保有する中央サーバと、注文者が操作し、該中央サーバに登録された取引業者を介して外国為替取引を行うための注文者端末と、により外国為替取引を遂行するための外国為替取引システムであって、
前記中央サーバは、複数のマーケットメーカーが提供するビッド（買気配値）とオファー（売気配値）を自動で入力し、投資者に最も有利な価格になる値を抽出し、該抽出値を前記注文者端末に送信することを特徴とする外国為替取引システム。
【請求項２】
外国為替取引についての取引所が保有する中央サーバと、注文者が操作し、該中央サーバに登録された取引業者を介して外国為替取引を行うための注文者端末と、により外国為替取引を遂行するための外国為替取引システムであって、
前記中央サーバは、複数のマーケットメーカーが有する各マーケット端末から送信される複数のビッド情報及びオファー情報を受信し、受信した複数の前記ビット情報及び前記オファー情報に基づく取引レート情報を生成する取引レート情報生成手段と、
前記取引レート情報を前記注文者端末に送信する送信手段と、
前記注文者端末から送信された前記取引レート情報に基づく注文情報に応じて取引処理を行う取引手段とを有することを特徴とする外国為替取引システム。
【請求項３】
前記取引レート情報生成手段は、複数の前記ビット情報の中から抽出した最も高い買値と複数の前記オファー情報の中から抽出した最も低い売り値とに基づいて、前記取引レート情報を生成することを特徴とする請求項２に記載の外国為替取引システム。
【請求項４】
前記取引手段は、一の前記マーケットメーカーと前記取引業者との間において成立した取引を、前記マーケットメーカーと前記取引所との間の第１の取引と、前記取引業者と前記取引所との間の第２の取引処理との２つの取引としての取引処理を行うことを特徴とする請求項２又は３に記載の外国為替取引システム。
【請求項５】
前記取引業者が保有し、前記中央サーバに接続する取引業者端末を有し、
前記中央サーバは、この取引業者端末から送信される前記取引業者を介した外国為替取引を行う注文者に関する情報を記憶する記憶手段を有することを特徴とする請求項２から４のいずれか１つに記載の外国為替取引システム。
【請求項６】
前記取引業者が保有し、前記中央サーバに接続する取引業者端末を有し、
前記中央サーバは、この取引業者端末から送信される前記取引業者を介した外国為替取引を行う注文者に関する情報等を記憶する第１の記憶手段と、
この情報を前記記憶手段に登録するために前記中央サーバから前記取引業者端末に送信される登録画面情報を記憶する第２の記憶手段とを有することを特徴とする請求項２から５のいずれか１つに記載の外国為替取引システム。
【請求項７】
外国為替取引についての取引所が保有する中央サーバと、注文者が操作し、該中央サーバに登録された取引業者を介して外国為替取引を行うための注文者端末と、により外国為替取引を遂行するための外国為替取引システムであって、
前記中央サーバは、複数のマーケットメーカーが有する各マーケット端末から送信される売建玉情報及び買建玉情報に関する各スワップポイント情報を受信し、前記スワップポイント情報に基づいてスワップポイント値を算出するスワップポイント処理手段と、
該スワップポイント値を前記注文者端末送信する送信手段とを有することを特徴とする外国為替取引システム。
【請求項８】
前記スワップポイント処理手段は、複数の前記スワップポイント情報に基づいて、売建玉及び買建玉に共通に適用されるスワップポイント値を算出することを特徴とする請求項７に記載の外国為替取引システム。
【請求項９】
外国為替取引についての取引所が保有する中央サーバと、注文者が操作し、該中央サーバに登録された取引業者を介して外国為替取引を行うための注文者端末と、前記取引業者が有し、前記中央サーバに接続する取引業者端末と、により外国為替取引を遂行するための外国為替取引システムであって、
前記中央サーバは、前記取引業者端末から送信される前記注文者の証拠金に関する情報を受信し、前記中央サーバ内の記憶手段に前記証拠金に関する情報を記憶する顧客管理手段と、
前記注文者端末からの情報閲覧要求に応じて、前記証拠金に関する情報を前記注文者端末に送信する送信手段とを有することを特徴とする外国為替取引システム。
【請求項１０】
外国為替取引についての取引所が保有する中央サーバと、注文者が操作し、該中央サーバに登録された取引業者を介して外国為替取引を行うための注文者端末と、により外国為替取引を遂行するための外国為替取引システムであって、
前記注文者端末には、前記中央サーバから送信されリアルタイムで変動するビット情報／オファー情報が表示される欄と、外国為替取引の一の注文についての各種情報を入力するための注文欄と、該注文者に関する現在までの注文状況についての情報が表示される注文状況欄と、が一の画面内に表示されること、を特徴とする外国為替取引システム。
【請求項１１】
前記注文状況欄には、証拠金状況についての情報が表示されることを特徴とする請求項１０に記載の外国為替取引システム。
【請求項１２】
外国為替取引についての取引所が保有する中央サーバと、注文者が操作し、該中央サーバに登録された取引業者を介して外国為替取引を行うための注文者端末と、により外国為替取引を遂行するための外国為替取引システムであって、
前記注文者端末には、前記中央サーバから送信されリアルタイムで変動するビッド情報／オファー情報が表示される欄と、外国為替取引の一の注文についての各種情報を入力するための注文欄と、が一の画面内に表示され、
前記ビッド情報／オファー情報が表示される欄には、前記ビッド／オファー情報に基づく取引可能な数量情報と各取引対象通貨の出来高情報とが表示されることを特徴とする外国為替取引システム。
【請求項１３】
外国為替取引についての取引所が保有する中央サーバと、注文者が操作し、該中央サーバに登録された取引業者を介して外国為替取引を行うための注文者端末と、により外国為替取引を遂行するための外国為替取引システムであって、
前記注文者端末には、前記中央サーバから送信されリアルタイムで変動するビッド／オファー情報が表示される欄と、外国為替取引の一の注文についての各種情報を入力するための注文欄と、が一の画面内に表示され、
前記ビット／オファー情報を該注文者端末の入力手段で指定操作すると、その時点での数値が前記注文欄内にコピーされるように前記注文者端末が制御されることを特徴とする外国為替取引システム。
【請求項１４】
前記ビット／オファー情報を該注文者端末の入力手段で指定操作すると、その時点での前記数値と、前記ビット／オファー情報に関連する通貨及び売買についての情報が前記注文欄内にコピーされるように前記注文者端末が制御されることを特徴とする請求項１３に記載の外国為替取引システム。
【請求項１５】
外国為替取引についての取引所が保有する中央サーバと、注文者が操作し、該中央サーバに登録された取引業者を介して外国為替取引を行うための注文者端末と、により外国為替取引を遂行するための外国為替取引システムであって、
前記中央サーバは、前記注文者端末からのアクセスに応じて、当該外国為替取引を行うために前記注文者端末に表示される画面情報を前記注文者端末に送信する送信手段を有し、
前記表示画面情報は、マーケットメーカーが有するマーケット端末から前記中央サーバに送信され、リアルタイムで変動するビッド情報及びオファー情報を前記注文者端末に表示するための第１の表示画面と、前記注文者端末にて外国為替取引の一の注文についての各種情報を入力するための第２の表示画面と、該注文者に関する現在までの注文状況についての情報を前記注文者端末に表示するための第３の表示画面とに関する画面情報を含むことを特徴とする外国為替取引システム。
【請求項１６】
前記表示画面情報は、前記第１、第２及び第３の表示画面が一の画面内に表示された画面情報であることを特徴とする請求項１５に記載の外国為替取引システム。
【請求項１７】
外国為替取引についての取引所が保有する中央サーバで実行され、注文者が操作する注文者端末から該中央サーバに登録された取引業者を介して外国為替取引を遂行するための外国為替取引プログラムであって、
複数のマーケットメーカーが有する各マーケット端末から送信される複数のビッド情報及びオファー情報を受信し、受信した複数の前記ビット情報及び前記オファー情報に基づく取引レート情報を生成するステップと、
前記取引レート情報を前記注文者端末に送信するステップと、
前記注文者端末から送信された前記取引レート情報に基づく注文情報に応じて取引処理を行うステップとを有することを特徴とする外国為替取引プログラム。
【請求項１８】
外国為替取引についての取引所が保有する中央サーバで実行され、注文者が操作する注文者端末から該中央サーバに登録された取引業者を介して外国為替取引を遂行するための外国為替取引プログラムであって、
複数のマーケットメーカーが有する各マーケット端末から送信される売建玉情報及び買建玉情報に関するスワップポイント情報を受信し、前記スワップポイント情報に基づいてスワップポイント値を算出するステップと、
該スワップポイント値を前記注文者端末に送信するステップとを有することを特徴とする外国為替取引プログラム。
【請求項１９】
外国為替取引についての取引所が保有する中央サーバに接続され、注文者端末にて注文者が該中央サーバに登録された取引業者を介して外国為替取引を遂行するための外国為替取引方法であって、
複数のマーケットメーカーが有する各マーケット端末から送信される複数のビッド情報及びオファー情報を受信し、受信した複数の前記ビット情報及び前記オファー情報に基づく取引レート情報を生成するステップと、
前記取引レート情報を前記注文者端末に送信するステップと、
前記注文者端末から送信された前記取引レート情報に基づく注文情報に応じて取引処理を行うステップと有することを特徴とする外国為替取引方法。
【請求項２０】
外国為替取引についての取引所が保有する中央サーバに接続され、注文者端末にて注文者が該中央サーバに登録された取引業者を介して外国為替取引を遂行するための外国為替取引方法であって、
複数のマーケットメーカーが有する各マーケット端末から送信される売建玉情報及び買建玉情報に関するスワップポイント情報を受信し、前記スワップポイント情報に基づいてスワップポイント値を算出するステップと、
該スワップポイント値を前記注文者端末に送信するステップとを有することを特徴とする外国為替取引方法。
【請求項２１】
外国為替取引を遂行するための外国為替取引システムにおいて取引所が保有する中央サーバであって、
複数のマーケットメーカーが有する各マーケット端末から送信される複数のビッド情報及びオファー情報を受信し、受信した複数の前記ビット情報及び前記オファー情報に基づく取引レート情報を生成する取引レート情報生成手段と、
当該中央サーバに接続し、前記中央サーバに登録された取引業者を介して外国為替取引を行うための注文者端末に前記取引レート情報を送信する送信手段と、
前記注文者端末から送信された前記取引レート情報に基づく注文情報に応じて取引処理を行う取引手段とを有することを特徴とする中央サーバ。
【請求項２２】
外国為替取引を遂行するための外国為替取引システムにおいて取引所が保有する中央サーバであって、
複数のマーケットメーカーが有する各マーケット端末から送信される売建玉情報及び買建玉情報に関する各スワップポイント情報を受信し、前記スワップポイント情報に基づいてスワップポイント値を算出するスワップポイント処理手段と、
当該中央サーバに接続し、前記中央サーバに登録された取引業者を介して外国為替取引を行うための注文者端末に前記スワップポイント値を送信する送信手段とを有することを特徴とする中央サーバ。